(57)【要約】ポリマー材料からなり、上層と下層の少なくとも２層を含む有害生物防除シートであって、下層が除草剤を含有すると共に殺菌剤及び殺虫剤から選択される１種以上の農薬を含有し、上層が場合により殺虫剤及び／又は殺菌剤を含有する有害生物防除シート。本発明は更に、前記シートの製造に使用するポリマー組成物と、農業、園芸及び庭園における有害生物防除方法にも関する。【特許請求の範囲】
【請求項１】
ポリマー材料からなり、上層と下層の少なくとも２層を含む有害生物防除シートであって、下層が除草剤を含有すると共に殺菌剤及び殺虫剤から選択される１種以上の農薬を含有し、上層が場合により殺虫剤及び／又は殺菌剤を含有する前記シート。
【請求項２】
上層が殺虫剤及び／又は殺菌剤を含有する請求項１に記載のシート。
【請求項３】
下層が除草剤と殺虫剤を含有し、上層が殺虫剤を含有する請求項１に記載のシート。
【請求項４】
下層が除草剤と殺菌剤と殺虫剤を含有し、上層が殺虫剤を含有する請求項１に記載のシート。
【請求項５】
下層が除草剤と殺菌剤と殺虫剤を含有し、上層が殺虫剤と殺菌剤を含有する請求項１に記載のシート。
【請求項６】
下層が除草剤と殺菌剤と殺虫剤を含有し、上層が殺菌剤を含有する請求項１に記載のシート。
【請求項７】
前記ポリマー材料がグラウンドシートとして使用するのに適している請求項１に記載のシート。
【請求項８】
前記ポリマー材料が低密度ポリエチレン（ＬＤＰＥ）、高密度ポリエチレン（ＨＤＰＥ）、ポリプロピレン（ＰＰ）、エチレン酢酸ビニル（ＥＶＡ）、エチレンアクリル酸メチル（ＥＭＡ）、それらの誘導体又はそれらの混合物からなる群から選択されるポリオレフィンのホモポリマー及びコポリマー、及びそれらのブレンドからなる群から選択される請求項１に記載のシート。
【請求項９】
保護中間層を含む請求項１に記載のシート。
【請求項１０】
保護中間層がポリアミド又はポリビニルアルコールポリマーからなる請求項１０に記載のシート。
【請求項１１】
下層が除草剤を約０．１％〜５％含有する請求項１に記載のシート。
【請求項１２】
下層が殺虫剤を約０．１％〜５％及び／又は殺菌剤を０．１％〜５％含有する請求項１１に記載のシート。
【請求項１３】
上層が殺虫剤を約０．１％〜５％及び／又は殺菌剤を０．１％〜５％含有する請求項１１に記載のシート。
【請求項１４】
上層が殺虫剤を０．１％〜５％及び／又は殺菌剤を０．１％〜５％含有する請求項１２に記載のシート。
【請求項１５】
除草剤が、
オキシフルオルフェン即ち２−クロロ−α，α，α−トリフルオロ−ｐ−トリル−３−エトキシ−４−ニトロフェニルエーテル、
トリフルラリン即ちα，α，α−トリフルオロ−２，６−ジニトロ−Ｎ，Ｎ−ジプロピル−ｐ−トルイジン、
ベンフルラリン即ちＮ−ブチル−Ｎ−エチル−２，６−ジニトロ−４（トリフルオロメチル）ベンゼンアミン、
イソプロパリン即ち４−イソプロピル−２，６−ジニトロ−Ｎ，Ｎ−ジプロピルアニリン、
オリザリン即ち３，５−ジニトロ−Ｎ４，Ｎ４−ジプロピルスルファニルアミド、
フルロキシピル即ち４−アミノ−３，５−ジクロロ−６−フルオロ−２−ピリジルオキシ酢酸、
エタルフルラリン即ちＮ−エチル−α，α，α−トリフルオロ−Ｎ−（メチルアリル）−２，６−ジニトロ−ｐ−トルイジン、
ペンジメタリン即ちＮ−（１−エチルプロピル）−２，６−ジニトロ−３，４−キシリジン、
プロフルラリン即ちＮ−（シクロプロピルメチル）−α，α，α−トリフルオロ−２，６−ジニトロ−Ｎ−プロピル−ｐ−トルイジン、
ジウロン即ち３−（３，４−ジクロロフェニル）−Ｎ，Ｎ−ジメチル尿素、
イマゼタピル即ち（ＲＳ）−５−エチル−２−（４−イソプロピル−４−メチル−５−オキソ−２−イミダゾリン−２−イル）ニコチン酸、
イマザキン即ち（ＲＳ）−２−（４−イソプロピル−４−メチル−５−オキソ−２−イミダゾリン−２−イル）キノリン−３−カルボン酸、
グリホサート即ちＮ−（ホスホノメチル）グリシン、
シマジン即ち６−クロロ−Ｎ，Ｎ’−ジエチル−１，３，５−トリアジン−２，４−ジアミン、
ターバトリン即ちＮ−（１，１−ジメチルエチル）−Ｎ’−エチル−６−（メチルチオ）−１，３，５−トリアジン−２，４−ジアミン、
メトリブジン即ち４−アミノ−６−ｔｅｒｔ−ブチル−３−メチルチオ−１，２，４−トリアジン−５（４Ｈ）−オン、
又は（一般名）トリアスルフロン、クロルスルフロン、トリベヌロン及びリムスルフロンから選択されるスルホニル尿素除草剤
からなる群から選択される請求項１に記載のシート。
【請求項１６】
殺虫剤がクロルピリホス及びダイアジノン等の有機りん系殺虫剤、イミダクロプリド、アセタミプリド及びチアメトキサム等のネオニコチノイド系殺虫剤、ビフェントリン、ラムダシハロトリン、テフルトリン及びペルマトリン等のピレスロイド系殺虫剤、カズサホス及びフェナミホス等の殺線虫剤、並びにスピノサド、インドキサカルブ及びフィプロニルからなる群から選択される請求項１に記載のシート。
【請求項１７】
殺菌剤がヘキサコナゾール、ミクロブタニル、プロピコナゾール、トリアジメノール、テブコナゾール、ペンコナゾール等のステロイド脱メチル化阻害剤、プロクロラズ、メタラキシル、ジメトモルフ、シモキサニル、プロパモカルブ塩酸塩、フルアジナム、並びにアゾキシストロビン、クレソキシムメチル、トリフロキシストロビン、メトニモストロビン、ピコキシストロビン、ピラクロストロビン及びＭＡ−２０５６５等のストロビルリン系殺菌剤からなる群から選択される請求項１に記載のシート。
【請求項１８】
シートが透明である請求項１に記載のシート。
【請求項１９】
農薬が除草剤、殺虫剤、除草剤混合物、殺虫剤混合物であって、そのいずれかまたは組み合わせである請求項１に記載のシート。
【請求項２０】
請求項１に記載のシートで地面（土壌）を覆うことを特徴とする農業、園芸及び庭園における有害生物防除方法。
【請求項２１】
除草剤を含有するポリマーシート製造用ポリマー組成物。
【請求項２２】
ポリマーが農薬を含有するペレット又は樹脂の形態である請求項２１に記載の組成物。
【請求項２３】
更に殺菌剤及び／又は殺虫剤を含有する請求項２１に記載の組成物。
【請求項２４】
除草剤を約５％〜３０％含有するポリマーシート製造用ポリマー組成物。
【請求項２５】
更に殺菌剤及び／又は殺虫剤を約５％〜３０％含有する請求項２４に記載の組成物。
【請求項２６】
除草剤が
オキシフルオルフェン即ち２−クロロ−α，α，α−トリフルオロ−ｐ−トリル−３−エトキシ−４−ニトロフェニルエーテル、
トリフルラリン即ちα，α，α−トリフルオロ−２，６−ジニトロ−Ｎ，Ｎ−ジプロピル−ｐ−トルイジン、
ベンフルラリン即ちＮ−ブチル−Ｎ−エチル−２，６−ジニトロ−４（トリフルオロメチル）ベンゼンアミン、
イソプロパリン即ち４−イソプロピル−２，６−ジニトロ−Ｎ，Ｎ−ジプロピルアニリン、
オリザリン即ち３，５−ジニトロ−Ｎ４，Ｎ４−ジプロピルスルファニルアミド、
フルロキシピル即ち４−アミノ−３，５−ジクロロ−６−フルオロ−２−ピリジルオキシ酢酸、
エタルフルラリン即ちＮ−エチル−α，α，α−トリフルオロ−Ｎ−（メチルアリル）−２，６−ジニトロ−ｐ−トルイジン、
ペンジメタリン即ちＮ−（１−エチルプロピル）−２，６−ジニトロ−３，４−キシリジン、
プロフルラリン即ちＮ−（シクロプロピルメチル）−α，α，α−トリフルオロ−２，６−ジニトロ−Ｎ−プロピル−ｐ−トルイジン、
ジウロン即ち３−（３，４−ジクロロフェニル）−Ｎ，Ｎ−ジメチル尿素、
イマゼタピル即ち（ＲＳ）−５−エチル−２−（４−イソプロピル−４−メチル−５−オキソ−２−イミダゾリン−２−イル）ニコチン酸、
イマザキン即ち（ＲＳ）−２−（４−イソプロピル−４−メチル−５−オキソ−２−イミダゾリン−２−イル）キノリン−３−カルボン酸、
グリホサート即ちＮ−（ホスホノメチル）グリシン、
シマジン即ち６−クロロ−Ｎ，Ｎ’−ジエチル−１，３，５−トリアジン−２，４−ジアミン、
ターバトリン即ちＮ−（１，１−ジメチルエチル）−Ｎ’−エチル−６−（メチルチオ）−１，３，５−トリアジン−２，４−ジアミン、
メトリブジン即ち４−アミノ−６−ｔｅｒｔ−ブチル−３−メチルチオ−１，２，４−トリアジン−５（４Ｈ）−オン、
又は（一般名）トリアスルフロン、クロルスルフロン、トリベヌロン及びリムスルフロンから選択されるスルホニル尿素除草剤
からなる群から選択される請求項２１に記載の組成物。
【請求項２７】
殺虫剤がクロルピリホス及びダイアジノン等の有機りん系殺虫剤、イミダクロプリド、アセタミプリド及びチアメトキサム等のネオニコチノイド系殺虫剤、ビフェントリン、ラムダシハロトリン、テフルトリン及びペルマトリン等のピレスロイド系殺虫剤、カズサホス及びフェナミホス等の殺線虫剤、並びにスピノサド、インドキサカルブ及びフィプロニルからなる群から選択され、殺菌剤がヘキサコナゾール、ミクロブタニル、プロピコナゾール、トリアジメノール、テブコナゾール、ペンコナゾール等のステロイド脱メチル化阻害剤、プロクロラズ、メタラキシル、ジメトモルフ、シモキサニル、プロパモカルブ塩酸塩、フルアジナム、又はアゾキシストロビン、クレソキシムメチル、トリフロキシストロビン、メトニモストロビン、ピコキシストロビン、ピラクロストロビン及びＭＡ−２０５６５等のストロビルリン系殺菌剤からなる群から選択される請求項２３に記載の組成物。
【請求項２８】
ポリエチレンペレットからなり、オキシフルオルフェンを約５％〜３０％含有する請求項２１に記載の組成物。
【請求項２９】
請求項と明細書に記載するシート。
【請求項３０】
請求項と明細書に記載する方法。
【請求項３１】
請求項と明細書に記載する組成物。
【発明の詳細な説明】
【０００１】
発明の分野
本発明は有害生物防除分野、特に新規ポリマーシートと農業、園芸及び庭園での有害生物防除におけるその使用に関する。
【０００２】
発明の背景
有害生物防除は非常に多くの方法、装置及び組成物に及ぶ広い分野である。除草剤入りシートによる雑草防除は当分野で公知である。米国特許第５，１８１，９５２号は根が土壌に侵入するのを防ぐために使用する除草剤入りジオテキスタイルを開示している。ジオテキスタイルを土壌に挿入してバリヤーを形成し、根を通さないようにし、バリヤーの向こう側の土壌に根が侵入しないようにし、その被害から保護する。除草剤はジオテキスタイル全体に種々の形態で分配される。米国特許第５，５７５，１１２号は米国特許第５，１８１，９５２号と同様の繊維と、根の成長を防除するためのその使用を開示している。この繊維は除草剤として無機銅化合物を含有している。Ｒｅｅｍａｙ　Ｉｎｃ．の米国特許第５，１３９，５６６号は上記公報と同様のジオテキスタイルとその使用について記載している。従来技術に記載されているシートは圃場を保護するための雑草防除シートとして農業で利用することができない。従来技術に記載されているシートに除草剤を分散させる方法はこのような農業用途に適していない。上記のようなシートで覆うと作物は除草剤に暴露されて損傷し、立枯れしかねない。
【０００３】
農業分野における他の有害生物防除方法としては、臭化メチルによる土壌の前処理がある。臭化メチルは非常に有効であるが、問題のある有害生物防除剤である。環境に有害であると言われており、将来使用禁止になる可能性が高い。
【０００４】
更に、作物によっては除草剤に非常に感受性のものもある。例えば、ウリ科（ズッキーニ、キュウリ、メロン、スイカ、カボチャ等）は除草剤に非常に感受性である。従って、ウリ科の圃場から雑草を除去するには手でむしる以外に方法がない。
【０００５】
上記に鑑み、上記問題を解決する有害生物防除方法及び手段を開発する必要があると長い間考えられている。更に、農業目的に有効且つ安全に利用可能な有害生物防除シートを開発する必要があることも長い間考えられている。
【０００６】
従って、本発明の目的は農業に使用できる有害生物防除シートを提供することである。
【０００７】
本発明の別の目的は農業における有害生物防除方法として、非常に有効な有害生物防除を提供すると共に植物や作物に安全な方法を提供することである。
【０００８】
本発明の更に別の目的は有害生物防除シートを製造するための組成物を提供することである。
【０００９】
本発明の更に別の目的は公知技術の欠点を解決する有害生物防除シート及び方法を提供することである。
【００１０】
本発明の他の目的は以下の記載から理解されよう。
【００１１】
シートなる用語はフィルムと同義である。
【００１２】
発明の要約
本発明はポリマー材料からなり、上層と下層の少なくとも２層を含む有害生物防除シートを提供する。下層は除草剤を含有しており、更に場合により殺虫剤及び殺菌剤から選択される農薬を含有する。上層は下層中の農薬により損傷する恐れのある植物部分が下層と接触しないように保護するための保護層である。場合により、植物を害虫発生から保護するための殺虫剤と植物を菌類繁殖から保護するための殺菌剤を上層に加えてもよい。前記シートは場合により、下層と上層の間にバリヤーとして機能する（単一ないし複数の）付加層（以下、保護中間層と記す）を更に含むことができる。
【００１３】
本発明は更に本発明のシートで地面（土壌）を覆うことからなる農業、園芸及び庭園における有害生物防除方法も提供する。従って、下層は雑草発生を防ぎ、土壌有害生物を防除する。上層は感受性植物部分が下層に接触しないように保護する。上層に殺虫剤及び／又は殺菌剤を加えると、上層は更に植物を害虫発生からも保護する。
【００１４】
更に、本発明はポリマーと農薬を含み、ポリマーシートの製造に適した組成物（以下、「マスターバッチ」と記す）も提供し、前記マスターバッチから本発明のシートの層を製造する。マスターバッチは農薬を混合した樹脂形態でもよいし、農薬を含有するペレット形態でもよい。
【００１５】
本発明の全記載において、「農薬」なる用語は除草剤、殺菌剤及び殺虫剤に適用される。
【００１６】
図面の簡単な説明
図Ｉはシートの特定態様の断面図である。
図ＩＩは本発明の方法を適用した圃場の断面図である。
図ＩＩＩはシートの製造方法の概念図である。
【００１７】
発明の好適態様の詳細な説明
以下、図面を参照しながら本発明の数種の態様を具体的に説明する。以下の記載は発明を限定するものではなく、当然のことながら当業者は本発明の多数の自明な変形を実施できる。以下の全記載において百分率は重量に基づく。
【００１８】
本発明の一態様によると、本発明のシートはグラウンドシートとして使用するのに適したポリマー材料からなる。前記ポリマー材料は低密度ポリエチレン（ＬＤＰＥ）、高密度ポリエチレン（ＨＤＰＥ）、ポリプロピレン（ＰＰ）、エチレン酢酸ビニル（ＥＶＡ）、エチレンアクリル酸メチル（ＥＭＡ）、それらの誘導体又はそれらの混合物からなる群から選択されるポリオレフィンのホモポリマー及びコポリマー、及びそれらのブレンドからなる群から選択される。当業者に自明の通り、本発明には他のポリマー材料も使用できる。シートは少なくとも２層のポリマー材料層から構成され、下層［図Ｉ、（１）］は除草剤約０．１％〜５％と場合により１種以上の他の農薬０．１％〜５％を含有し、上層［図Ｉ、（２）］は葉や茎等の植物部分が下層に接触しないように保護するポリマー層である。葉や茎が下層中の除草剤に接触すると、植物は損傷し、立枯れしかねない。場合により上層に殺菌剤又は殺虫剤を加えてもよい。雑草防除は２つの方法で得られる。即ち、１）地面から発生する雑草が下層及び下層に含まれる除草剤と接触して駆除されると共に、２）除草剤が下層からゆっくりと放出されて土壌中に移行し、土壌から雑草が発生するのを防ぐ。シートからの農薬放出速度は生育期の終わりまでに農薬の大部分、恐らくは全部がシートから放出されるように制御される。シートからの農薬放出速度は粘着防止添加剤の量と種類及びシートの製造材料であるポリマーの種類により制御することができる。前記添加剤については後述する。
【００１９】
本発明の別態様によると、下層は除草剤約０．１％〜５％と殺虫剤及び／又は殺菌剤約０．１％〜５％を含有する。従って、下層は雑草を防除し、植物に有害であり得る土壌生息害虫を駆除すると共に、菌類繁殖を防除する。本態様によると、下層から土壌中への殺虫剤移行及び／又は殺虫剤を含有する下層と害虫の接触により害虫防除が達成される。
【００２０】
本発明の更に別態様によると、上層は殺虫剤及び／又は殺菌剤約０．１％〜５％を含有する。従って、シートの上に出る植物部分の周囲を病害虫および疾病から防除する。こうして、害虫は上層中の殺虫剤と接触して駆除され、菌類は殺菌剤により防除される。
【００２１】
別態様によると、本発明のシートは上層と下層の間に更に付加ポリマーフィルムの単一層または複数層を含むことができる。前記保護中間層はポリマー材料からなり、除草剤が下層から上層に移行し、更に植物に移行するのを防ぐ。こうして除草剤又はその蒸気の上方移行を防ぐので、「封止」効果が得られる。保護中間層はポリアミド、ポリビニルアルコール又は前記封止効果を提供する他の任意ポリマー材料から構成され得る。
【００２２】
本発明で使用するのに適した除草剤は、
オキシフルオルフェン即ち２−クロロ−α，α，α−トリフルオロ−ｐ−トリル−３−エトキシ−４−ニトロフェニルエーテル、
トリフルラリン即ちα，α，α−トリフルオロ−２，６−ジニトロ−Ｎ，Ｎ−ジプロピル−ｐ−トルイジン、
ベンフルラリン即ちＮ−ブチル−Ｎ−エチル−２，６−ジニトロ−４（トリフルオロメチル）ベンゼンアミン、
イソプロパリン即ち４−イソプロピル−２，６−ジニトロ−Ｎ，Ｎ−ジプロピルアニリン、
オリザリン即ち３，５−ジニトロ−Ｎ４，Ｎ４−ジプロピルスルファニルアミド、
フルロキシピル即ち４−アミノ−３，５−ジクロロ−６−フルオロ−２−ピリジルオキシ酢酸、
エタルフルラリン即ちＮ−エチル−α，α，α−トリフルオロ−Ｎ−（メチルアリル）−２，６−ジニトロ−ｐ−トルイジン、
ペンジメタリン即ちＮ−（１−エチルプロピル）−２，６−ジニトロ−３，４−キシリジン、
プロフルラリン即ちＮ−（シクロプロピルメチル）−α，α，α−トリフルオロ−２，６−ジニトロ−Ｎ−プロピル−ｐ−トルイジン、
ジウロン即ち３−（３，４−ジクロロフェニル）−Ｎ，Ｎ−ジメチル尿素、
イマゼタピル即ち（ＲＳ）−５−エチル−２−（４−イソプロピル−４−メチル−５−オキソ−２−イミダゾリン−２−イル）ニコチン酸、
イマザキン即ち（ＲＳ）−２−（４−イソプロピル−４−メチル−５−オキソ−２−イミダゾリン−２−イル）キノリン−３−カルボン酸、
グリホサート即ちＮ−（ホスホノメチル）グリシン、
シマジン即ち６−クロロ−Ｎ，Ｎ’−ジエチル−１，３，５−トリアジン−２，４−ジアミン、
ターバトリン即ちＮ−（１，１−ジメチルエチル）−Ｎ’−エチル−６−（メチルチオ）−１，３，５−トリアジン−２，４−ジアミン、
メトリブジン即ち４−アミノ−６−ｔｅｒｔ−ブチル−３−メチルチオ−１，２，４−トリアジン−５（４Ｈ）−オン、
又は（一般名）トリアスルフロン、クロルスルフロン、トリベヌロン及びリムスルフロンから選択されるスルホニル尿素除草剤からなる群から選択されるが、これらに限定されない。
【００２３】
本発明に有用な殺虫剤（一般名に従って記載）はクロルピリホス及びダイアジノン等の有機りん系殺虫剤、イミダクロプリド、アセタミプリド及びチアメトキサム等のネオニコチノイド系殺虫剤、ビフェントリン、ラムダシハロトリン、テフルトリン及びペルマトリン等のピレスロイド系殺虫剤からなる殺虫剤群から選択されるが、これらに限定されない。更に、スピノサド、インドキサカルブ及びフィプロニル等の殺虫剤や、カズサホス及びフェナミホス等の殺線虫剤として知られる群の殺虫剤も利用できる。
【００２４】
本発明に有用な殺菌剤（一般名に従って記載）はステロイド脱メチル化阻害剤（ＳＤＩ）からなる殺菌剤群から選択されるが、これらに限定されない。ＳＤＩ群はヘキサコナゾール、ミクロブタニル、プロピコナゾール、トリアジメノール、テブコナゾール、ペンコナゾールを含む。他の有用な殺菌剤はプロクロラズ、メタラキシル、ジメトモルフ、シモキサニル、プロパモカルブ塩酸塩及びフルアジナムである。本発明に有用な他の殺菌剤は例えばアゾキシストロビン、クレソキシムメチル、トリフロキシストロビン、メトニモストロビン、ピコキシストロビン、ピラクロストロビン、ＭＡ−２０５６５（三菱化学開発コード）等のストロビルリン系殺菌剤として知られる群の殺菌剤である。
【００２５】
好適態様によると、本発明のシートは透明である。このため、「温室効果」により土壌を加熱できる。この効果は太陽放射がシートを透過して土壌から反射されるときに生じる。反射した放射線のうち赤外範囲のものはシートを透過しないのでシートと土壌の間に「トラップ」される。この「トラップ」された放射線が土壌を加熱する。これは寒冷地方又は冬季に生育する作物に特に重要である。
【００２６】
本発明は更に有害生物防除方法を提供する。前記方法は農業、園芸及び庭園管理に適用することができる。農業及び園芸では、前記方法は次のように適用する。例えば耕起、土壌燻蒸及び潅漑システム敷設等により圃場と土壌を物理的に植栽準備した後に圃場にシートを広げて土壌［図ＩＩ、（１）］を覆い、次いで地面に固定する。次に、苗を植付けようとする箇所のシート［図ＩＩ、（２）、（３）］に穴をあけ、穴［図ＩＩ、（５）］を通して土壌に苗［図ＩＩ、（４）］を植付けられるようにする。苗は根が土壌に隠れ、葉が下層と接触しないように上層の上に出るように植付ける。従って、雑草もしくは害虫が下層と接触することにより又は農薬が土壌中にゆっくりと放出されることにより、下層中の除草剤と場合により含まれる殺虫剤は雑草と場合により害虫を防除し、こうして雑草の発生を防除すると共に土壌中の害虫を駆除する。シートが上層に農薬を含有する場合には、植物の地上領域で有害生物防除が維持される。これは果実／野菜自体を保護するのにも役立つと思われる。前記方法は同様の方法で庭園にも適用することができる。
【００２７】
本発明の方法は以下の利点がある。
【００２８】
１．植物を植付ける前にシートを圃場に１段階でかぶせる。従って、収穫時後までシートを外す必要がない。
【００２９】
２．シートは生育期全体を通して安定した有害生物防除を確保し、生育期中に農薬を再施用する必要がない。
【００３０】
３．本方法は安全な農薬施用方式を提供する。農薬は地中に直接ゆっくりと放出されるか又はシートに固定される。従って、圃場作業者が農薬にさらされる危険を最少にできる。これは、毒性薬品の取り扱いや混合、およびこれらの薬品の噴霧を含む他の施用方法とは対照的である。噴霧は圃場作業者と環境に有害であり得る危険なミストを生じる。
【００３１】
４．シートを圃場から回収できる生育期の終わりまでにシートに農薬が全く又は殆ど含まれなくなるようにシートの農薬放出プロフィールを設定するので、ポリマーシートをリサイクルすることができる。これは環境上有利である。
【００３２】
５．除草剤に感受性の作物に使用されることが多い臭化メチルは環境に有害であると言われているが、本発明は臭化メチルの有効な代用品を提供する。
【００３３】
６．シートは更に温室効果を提供する。
【００３４】
本発明の更に別態様において、マスターバッチは農薬約５〜３０重量％を含有し、下層製造用マスターバッチは除草剤約５％〜３０％を含有し、場合により殺虫剤５％〜３０％と、殺菌剤５％〜３０％を含有する。上層が殺菌剤及び／又は殺虫剤を含有する付加態様によると、上層製造用マスターバッチは殺虫剤５％〜３０％を含有する。以下、農薬を含まないマスターバッチを「プレミックス」と記す。
【００３５】
本発明の特定態様によると、マスターバッチは農薬を含有するポリマーペレットの形態である。本発明の好適態様によると、下層製造用マスターバッチ（以下、「下層マスターバッチ」と記す）はペレット中にオキシフルオルフェン約５％〜３０％を含有するポリエチレンペレットを含む。更に別態様では、下層マスターバッチはオキシフルオルフェン約５％〜３０％とダイアジノン、クロルピリホス及びイミダクロプリドから選択される殺虫剤約５％〜３０％を含有する。上層が殺虫剤を含有する態様によると、上層製造用マスターバッチ（上層マスターバッチと記す）はダイアジノン、クロルピリホス及びイミダクロプリドから選択される殺虫剤約５％〜３０％を含有する。上層マスターバッチは殺虫剤をペレット中に分散したポリマーペレットの形態とすることができる。
【００３６】
マスターバッチは例えば押出機等のポリマーシート製造装置又は他の任意ポリマーシート製造装置で必要量の農薬をプレミックスに直接加えることによりシートの製造工程中に製造することができる。
【００３７】
本発明のシートは下層と上層を含む既製ポリマーシートに農薬を加えることにより製造することもできる。こうして、本明細書に記載するようなシートが得られる。
【００３８】
本発明のプレミックス及びマスターバッチはシートの所望性質を達成することを目的とした添加剤を更に加えてもよい。従来技術から周知の添加剤群としては、紫外線吸収剤、非晶質及び結晶質珪酸塩をベースとする粘着防止剤、アミド、オレアミド、ステアラミド及びそれらの誘導体から選択されるスリップ剤、ポリオレフィンワックス、ＰＥワックス、ＰＰワックス及び金属ステアリン酸塩から選択される滑剤、酸化防止剤が挙げられる。当業者に自明の通り、他の添加剤を加えてもよい。
【００３９】
本明細書全体を通して、本発明で除草剤、殺虫剤又は殺菌剤について記載する場合にはその混合物も含むものとする。
【００４０】
以下の説明は例証を目的とし、発明を限定するものではない。本発明のシートは同時押出ブローンフィルム法等の当業者に公知の技術により、プレミックス又は上層マスターバッチと下層マスターバッチから製造することができる。前記方法によると、下層マスターバッチとポリマー樹脂を押出機に供給して［図ＩＩＩ、（１）］加熱下に押出す［図ＩＩＩ、（２）、（５）］と同時に、上層マスターバッチ又は上層プレミックスをポリマー樹脂と共に別の押出機に供給して［図ＩＩＩ、（３）］加熱下に押出す［図ＩＩＩ、（４）、（６）］。各混合物に加えるポリマー樹脂の量を加減することにより、各層の農薬の最終所望百分率を調節することができる。両者押出混合物を吹込塔［図ＩＩＩ、（１１）］に送り、各々別々のダイで同時に２枚のフィルムに吹込成形する。上層マスターバッチ又はプレミックスを吹込成形してバルーン（以下、「外側バルーン」と記す）を形成すると同時に、下層マスターバッチも吹込成形して外側バルーンの内側に含まれるバルーンを形成する。バルーンを吹込成形するダイは内側ダイが外側ダイの中心にくるように配置する。シートの下層は内側ダイ［図ＩＩＩ、（７）］を通して形成され、シートの上層は外側ダイ［図ＩＩＩ、（８）］を通して形成される。バルーン内バルーンを形成するフィルムをローラー［図ＩＩＩ、（９）］でプレスして平らにし、４層シートとして巻取る［図ＩＩＩ、（１０）］。その後、４層プレスシートを切開いて本発明の２層シートを形成する。４層シートを切開くことにより、４層シートの内側２層は本発明のシートの下層を形成し、４層シートの外側２層は本発明のシートの上層を形成する。
【００４１】
以上の方法は３層以上のシートの製造にも適している。このような場合には、３種以上のマスターバッチ及び／又はプレミックスを使用して同時押出を実施する。こうして、保護中間層を備えるシートを上記方法により製造することができる。
【００４２】
当分野で公知の他のポリマーシート形成技術を本発明のシートを製造する目的で利用してもよい。
【００４３】
本発明の方法は農業及び園芸分野に広く利用できるが、本発明の方法はウリ科（メロン、ズッキーニ、キュウリ、スイカ、カボチャ）、ナス科（トマト、トウガラシ、ナス）、果樹及び観葉植物から選択される作物に利用すると特に有効である。
【００４４】
実施例
実施例１：スイカ
本発明のシートと方法をスイカに適用した。
【００４５】
下層の除草剤濃度を変えて３種類で実験を行った。結果を表１に示す。
【００４６】
【表１】
2004513896.tif 000002
【００４７】
実施例２：下層マスターバッチの製造
本実施例はマスターバッチ１００ｋｇの製造について説明する。スリップ剤、酸化防止剤及び滑剤を重量比約２：２：６で混合することにより添加剤組成物２．５ｋｇを製造する。６７．５ｋｇのＥＶＡ樹脂、１０ｋｇの粘着防止剤Ａｐａｃｅｔ（登録商標）１００６３及び２．５ｋｇの上記添加剤組成物を押出機の主供給口に供給し、こうしてポリマー溶融液を形成する。成分毎に別個の連続重量計量フィーダーを設置する。押出機の中心でポリマー溶融液にオキシフルオルフェン２０ｋｇを混合する。得られた最終ポリマー溶融液を有孔ディスクに通して「ヌードル様」ポリマーストランドを形成し、ゆっくりと冷却し、細断してペレタイザー／グラニュレーターに送る。
【００４８】
以上、本発明の数種の態様を具体的に説明したが、発明の精神又は請求の範囲から外れずに多数の変更、変形及び改変を加えても本発明を実施できることは自明である。
【００４９】
【図面の簡単な説明】
【図１】
シートの特定態様の断面図である。
【図２】
本発明の方法を適用した圃場の断面図である。
【図３】
シートの製造方法の概念図である。
【図１】
2004513896.tif 000003
【図２】
2004513896.tif 000004
【図３】
2004513896.tif 000005
【国際公開パンフレット】
2004513896.tif 000006
2004513896.tif 000007
2004513896.tif 000008
2004513896.tif 000009
2004513896.tif 000010
2004513896.tif 000011
2004513896.tif 000012
2004513896.tif 000013
2004513896.tif 000014
2004513896.tif 000015
2004513896.tif 000016
2004513896.tif 000017
2004513896.tif 000018
2004513896.tif 000019
2004513896.tif 000020
2004513896.tif 000021
2004513896.tif 000022
2004513896.tif 000023
2004513896.tif 000024
2004513896.tif 000025
2004513896.tif 000026
【国際公開パンフレット（コレクトバージョン）】
2004513896.tif 000027
【国際調査報告】
2004513896.tif 000028
2004513896.tif 000029
2004513896.tif 000030